(57)【要約】【課題】３チャンネル方式などのマルチチャンネルオーディオシステムにおいて、その汎用性を高め、リスニングポイントがずれても最適な音場再生を継続する。【解決手段】各スピーカー５（５Ａ、５Ｂ、５Ｃ）とリモコン３との距離を所定時間ごとに測定し、この距離に応じて各スピーカー５の音声レベルを調整する。これにより、各スピーカー５について、その設置位置とは無関係に音声レベルが調整され、スピーカー５の設置状態が適切でなくても最適な音場再生が行われる。また、リスニングポイントを常に監視することができる。【選択図】図１
2007028046.tif 000002
【特許請求の範囲】
【請求項１】
リモコンの操作に基づいて機器本体が複数個のスピーカーから音声を出力するマルチチャンネルオーディオシステムであって、
前記各スピーカーから前記リモコンまでの距離を測定する測距手段と、
この距離に応じて前記各スピーカーの音声レベルを調整する音声レベル調整手段と
が設けられていることを特徴とするマルチチャンネルオーディオシステム。
【請求項２】
前記測距手段は、
前記各スピーカーから前記リモコンまでの距離を所定時間ごとに測定することを特徴とする請求項１に記載のマルチチャンネルオーディオシステム。
【請求項３】
前記測距手段は、
前記リモコンから前記機器本体に入力される音声再生指令信号の到達時を基準として、前記リモコンから前記各スピーカーに入力される信号の入力遅延時間を求め、この入力遅延時間に基づき、当該スピーカーから前記リモコンまでの距離を測定することを特徴とする請求項１または２に記載のマルチチャンネルオーディオシステム。
【請求項４】
前記信号が前記スピーカーに入力されない場合に警告を発する警告手段が設けられていることを特徴とする請求項３に記載のマルチチャンネルオーディオシステム。
【請求項５】
前記音声レベル調整手段は、
前記リモコンの所在地における音声レベルを前記各スピーカーで均一化することを特徴とする請求項１乃至４のいずれかに記載のマルチチャンネルオーディオシステム。
【請求項６】
リモコンの操作に基づいて機器本体が複数個のスピーカーから音声を出力するマルチチャンネルオーディオシステムの音声レベル調整方法であって、
前記各スピーカーから前記リモコンまでの距離を測定する測距工程と、
この距離に応じて前記各スピーカーの音声レベルを調整する音声レベル調整工程と
を含むことを特徴とする、マルチチャンネルオーディオシステムの音声レベル調整方法。
【請求項７】
前記測距工程においては、
前記各スピーカーから前記リモコンまでの距離が所定時間ごとに測定されることを特徴とする、請求項６に記載のマルチチャンネルオーディオシステムの音声レベル調整方法。
【請求項８】
前記測距工程においては、
前記リモコンから前記機器本体に入力される音声再生指令信号の到達時を基準として、前記リモコンから前記各スピーカーに入力される信号の入力遅延時間が求められ、この入力遅延時間に基づき、当該スピーカーから前記リモコンまでの距離が測定されることを特徴とする、請求項６または７に記載のマルチチャンネルオーディオシステムの音声レベル調整方法。
【請求項９】
前記信号が前記スピーカーに入力されない場合に警告が発せられる警告工程を含むことを特徴とする、請求項８に記載のマルチチャンネルオーディオシステムの音声レベル調整方法。
【請求項１０】
前記音声レベル調整工程においては、
前記リモコンの所在地における音声レベルが前記各スピーカーで均一化されることを特徴とする、請求項６乃至９のいずれかに記載のマルチチャンネルオーディオシステムの音声レベル調整方法。
【発明の詳細な説明】
【技術分野】
【０００１】
本発明は、３チャンネル方式、４チャンネル方式、5.1チャンネル方式、7.1チャンネル方式など各種のチャンネル方式のマルチチャンネルオーディオシステムに関するものである。
【背景技術】
【０００２】
この種のマルチチャンネルオーディオシステムにおいては、高品質の音場再生を行う手法がいくつか提案されている。例えば、特許文献１に開示されているように、聴視者の位置を赤外線センサで検出し、聴視者に対して最適な音場再生を行う手法（以下、公知技術１という。）がある。また、特許文献２に開示されているように、各スピーカー間の伝搬遅延時間に基づいて各スピーカーの３次元座標を推定し、この３次元座標に基づいて各チャンネルの遅延時間と再生レベルを制御することにより、最適な音場再生を実現しようとする手法（以下、公知技術２という。）もある。
【特許文献１】実開平５−５３４００号公報
【特許文献２】特開２００３−２５０２００号公報
【発明の開示】
【発明が解決しようとする課題】
【０００３】
しかし、これらの手法では、それぞれ次のような不都合があった。
【０００４】
まず、公知技術１では、最適な音場再生を行うにはスピーカーの設置状態が適切であるという前提を必要とするため、マルチチャンネルオーディオシステムの汎用性が低い。
【０００５】
一方、公知技術２では、聴視者が移動した場合、リスニングポイントがずれてしまい、最適な音場再生を継続することができなくなる。
【０００６】
本発明は、こうした不都合を解消することが可能な、マルチチャンネルオーディオシステムおよびその音声レベル調整方法を提供することを目的とする。
【課題を解決するための手段】
【０００７】
まず、請求項１に係るマルチチャンネルオーディオシステムの発明は、リモコンの操作に基づいて機器本体が複数個のスピーカーから音声を出力するマルチチャンネルオーディオシステムであって、前記各スピーカーから前記リモコンまでの距離を測定する測距手段と、この距離に応じて前記各スピーカーの音声レベルを調整する音声レベル調整手段とが設けられていることを特徴とする。
また、請求項２に係るマルチチャンネルオーディオシステムの発明は、前記測距手段は、前記各スピーカーから前記リモコンまでの距離を所定時間ごとに測定することを特徴とする。
また、請求項３に係るマルチチャンネルオーディオシステムの発明は、前記測距手段は、前記リモコンから前記機器本体に入力される音声再生指令信号の到達時を基準として、前記リモコンから前記各スピーカーに入力される信号の入力遅延時間を求め、この入力遅延時間に基づき、当該スピーカーから前記リモコンまでの距離を測定することを特徴とする。
また、請求項４に係るマルチチャンネルオーディオシステムの発明は、前記信号が前記スピーカーに入力されない場合に警告を発する警告手段が設けられていることを特徴とする。
また、請求項５に係るマルチチャンネルオーディオシステムの発明は、前記音声レベル調整手段は、前記リモコンの所在地における音声レベルを前記各スピーカーで均一化することを特徴とする。
また、請求項６に係るマルチチャンネルオーディオシステムの音声レベル調整方法の発明は、リモコンの操作に基づいて機器本体が複数個のスピーカーから音声を出力するマルチチャンネルオーディオシステムの音声レベル調整方法であって、前記各スピーカーから前記リモコンまでの距離を測定する測距工程と、この距離に応じて前記各スピーカーの音声レベルを調整する音声レベル調整工程とを含むことを特徴とする。
また、請求項７に係るマルチチャンネルオーディオシステムの音声レベル調整方法の発明は、前記測距工程においては、前記各スピーカーから前記リモコンまでの距離が所定時間ごとに測定されることを特徴とする。
また、請求項８に係るマルチチャンネルオーディオシステムの音声レベル調整方法の発明は、前記測距工程においては、前記リモコンから前記機器本体に入力される音声再生指令信号の到達時を基準として、前記リモコンから前記各スピーカーに入力される信号の入力遅延時間が求められ、この入力遅延時間に基づき、当該スピーカーから前記リモコンまでの距離が測定されることを特徴とする。
また、請求項９に係るマルチチャンネルオーディオシステムの音声レベル調整方法の発明は、前記信号が前記スピーカーに入力されない場合に警告が発せられる警告工程を含むことを特徴とする。
また、請求項１０に係るマルチチャンネルオーディオシステムの音声レベル調整方法の発明は、前記音声レベル調整工程においては、前記リモコンの所在地における音声レベルが前記各スピーカーで均一化されることを特徴とする。
【発明の効果】
【０００８】
本発明によれば、各スピーカーについて、その設置位置とは無関係に音声レベルが調整されることから、たとえスピーカーの設置状態が適切でなくても最適な音場再生が行われる。そのため、マルチチャンネルオーディオシステムの汎用性を高めることができる。
【０００９】
また、各スピーカーとリモコンとの距離を所定時間ごとに測定することにより、リモコンの所在地、つまりリスニングポイントを常に監視することができる。その結果、聴視者の移動に伴ってリスニングポイントがずれても、最適な音場再生を継続することが可能となる。
【発明を実施するための最良の形態】
【００１０】
以下、本発明の実施形態を図面に基づいて説明する。
【００１１】
図１は本発明に係るマルチチャンネルオーディオシステムの一実施形態を示す配置図、図２はリモコンの制御ブロック図、図３はスピーカーからリモコンまでの距離の算出方法を示す模式図、図４は本発明に係るマルチチャンネルオーディオシステムの別の実施形態を示す配置図である。
【００１２】
マルチチャンネルオーディオシステム１は、図１に示すように、室内に設置された機器本体２と、この機器本体２を遠隔操作するためのリモコン３と、機器本体２に有線または無線で接続された前方３チャンネルのスピーカー５（Centerスピーカー５Ａ、Ｌchスピーカー５Ｂ、Ｒchスピーカー５Ｃ）とを備えている。
【００１３】
そして、機器本体２は、図２に示すように、ＣＰＵ（中央演算処理装置）などの主制御部２１を有しており、主制御部２１には、受光部２２、測距部２３、音声レベル調整部２４、警告部２５が接続されている。
【００１４】
また、各スピーカー５の前面には、図１に示すように、リモコン３からの信号を受ける受光部５１が取り付けられている。
【００１５】
マルチチャンネルオーディオシステム１は以上のような構成を有するので、このマルチチャンネルオーディオシステム１を用いて音楽鑑賞を行う際には、聴視者は、リモコン３の操作キーを適宜操作して機器本体２に音声再生指令信号を出力する。すると、機器本体２は、受光部２２を介してこの音声再生指令信号を受け、３本のスピーカー５から音声を出力する。このとき、リモコン３からは、機器本体２に音声再生指令信号が出力されると同時に、各スピーカー５の受光部５１に信号が出力される。
【００１６】
ここで、機器本体２は、最適な音場再生を実現すべく、以下に述べるとおり、聴視者が今いる場所、つまりリスニングポイントに応じて各スピーカー５の音声レベルを調整する。なお、ここではリモコン３の所在地をリスニングポイントとみなしている。
【００１７】
まず、機器本体２の主制御部２１は、測距部２３に対して、各スピーカー５からリモコン３までの距離の測定を指令する。これを受けて測距部２３は、各スピーカー５からリモコン３までの距離を所定時間（例えば、１分、５分など）ごとに測定する。それには、測距部２３は、リモコン３から機器本体２に入力された音声再生指令信号の到達時を基準として、リモコン３から各スピーカー５に入力された信号の入力遅延時間を求め、この入力遅延時間に基づき、各スピーカー５からリモコン３までの距離を算出する。
【００１８】
例えば、図３に示すように、各スピーカー５およびリモコン３を含む平面に２次元の直交座標（ｘ，ｙ）を導入し、Centerスピーカー５Ａを原点（０，０）とする。ここで、Ｌchスピーカー５Ｂの座標を（ＸL ，０）、Ｒchスピーカー５Ｃの座標を（ＸR ，０）、リスニングポイントの座標を（Ｘ，Ｙ）とすると、ＸおよびＹは、数１に示す数式で表される。
【００１９】
【数１】
2007028046.tif 000003
【００２０】
そして、Centerスピーカー５Ａからリモコン３までの距離ｒは、三平方の定理により、数２に示す数式で表される。
【００２１】
【数２】
2007028046.tif 000004
【００２２】
また、Ｌchスピーカー５Ｂからリモコン３までの距離（ｒ＋ａ）は、三平方の定理により、数３に示す数式で表される。
【００２３】
【数３】
2007028046.tif 000005
【００２４】
さらに、Ｒchスピーカー５Ｃからリモコン３までの距離（ｒ＋ｂ）は、三平方の定理により、数４に示す数式で表される。
【００２５】
【数４】
2007028046.tif 000006
【００２６】
次に、機器本体２の主制御部２１は、音声レベル調整部２４に対して、各スピーカー５の音声レベル調整を指令する。これを受けて音声レベル調整部２４は、各スピーカー５とリモコン３との距離に応じて、各スピーカー５の音声レベルがリスニングポイントにおいて均一化されるように調整する。すなわち、スピーカー５から出力された音声レベルはリスニングポイントまでの距離に反比例して減衰するとの考えに基づき、各スピーカー５について、リモコン３との距離に比例して音声レベルが増減するように制御される。したがって、各スピーカー５とリモコン３との距離が区々であっても、最適な音場再生を実現することが可能となる。
【００２７】
例えば、Centerスピーカー５Ａから出力された音声がL chスピーカー５Ｂに到達するまでの音声レベルの減衰量をφとすると、単位長さあたりの減衰量は、φ／ＸL となる。したがって、リスニングポイントにおけるCenterスピーカー５Ａから出力される最適音声レベルは、最適化前の音声レベルに減衰量（φ／ＸL ）×ｒを加えたものに等しくなる。同様に、リスニングポイントにおけるＬchスピーカー５Ｂから出力される最適音声レベルは、最適化前の音声レベルに減衰量（φ／ＸL ）×（ｒ＋ａ）を加えたものに等しくなる。また、リスニングポイントにおけるＲchスピーカー５Ｃから出力される最適音声レベルは、最適化前の音声レベルに減衰量（φ／ＸL ）×（ｒ＋ｂ）を加えたものに等しくなる。
【００２８】
このように、各スピーカー５について、その設置位置とは無関係に音声レベルが調整されることから、たとえスピーカー５の設置状態が適切でなくても最適な音場再生が行われる。そのため、マルチチャンネルオーディオシステム１の汎用性を高めることができる。
【００２９】
また、各スピーカー５とリモコン３との距離を所定時間ごとに測定することにより、リモコン３の所在地、つまりリスニングポイントを常に監視することができる。その結果、聴視者の移動に伴ってリスニングポイントがずれても、最適な音場再生を継続することが可能となる。
【００３０】
なお、スピーカー５の位置が極端に不適切である場合などには、スピーカー５からの応答信号がリモコン３に入力されない恐れがある。この場合、そのスピーカー５とリモコン３との距離を正確に測定できないので、測距部２３は、警告部２５に対して警告を指令する。これを受けて警告部２５は、スピーカー５から警告音を鳴らすことにより、聴視者に警告を発する。すると、聴視者は、スピーカー５とリモコン３との距離の測定、ひいては音声レベル調整が失敗したことを知るので、スピーカー５の位置や向きを変更するなど適当な処置をとることができる。したがって、マルチチャンネルオーディオシステム１の使い勝手が向上する。
【００３１】
なお、上述の実施形態においては、３チャンネル方式のマルチチャンネルオーディオシステム１について説明したが、このチャンネル方式はこれに限るわけではない。例えば、図４に示すように、5.1チャンネル方式のマルチチャンネルオーディオシステム１に本発明を適用することもできる。また、これら以外の方式（例えば、４チャンネル方式、7.1チャンネル方式など）のマルチチャンネルオーディオシステム１に本発明を適用することも可能である。
【産業上の利用可能性】
【００３２】
本発明は、ホームシアターなどに広く適用することができる。
【図面の簡単な説明】
【００３３】
【図１】本発明に係るマルチチャンネルオーディオシステムの一実施形態を示す配置図である。
【図２】機器本体の制御ブロック図である。
【図３】スピーカーからリモコンまでの距離の算出方法を示す模式図である。
【図４】本発明に係るマルチチャンネルオーディオシステムの別の実施形態を示す配置図である。
【符号の説明】
【００３４】
１……マルチチャンネルオーディオシステム
２……機器本体
３……リモコン
５……スピーカー
３３……測距部（測距手段）
３４……音声レベル調整部（音声レベル調整手段）
３５……警告部（警告手段）
【図１】
2007028046.tif 000007
【図２】
2007028046.tif 000008
【図３】
2007028046.tif 000009
【図４】
2007028046.tif 000010